(57)【要約】【課題】ユーザの嗜好に合致する番組の録画予約を自動的に行うことができる番組録画装置を提供する。【解決手段】番組録画装置１００は、録画予約機能を有する番組録画装置１００であって、番組表と、番組録画装置１００のユーザが映画館で上映される映画の視聴を予約したことを示す予約情報と、を取得する取得部１０２と、番組表から、取得部１０２によって取得された予約情報が示す映画に関連するコンテンツを検索する検索部１０４と、検索部１０４によって検索されたコンテンツの録画予約を行う録画部１０５と、を備える。【選択図】図３
2015192368.tif 000002
【特許請求の範囲】
【請求項１】
録画予約機能を有する番組録画装置であって、
番組表と、前記番組録画装置のユーザが映画館での映画の視聴を予約したことを示す予約情報と、を取得する取得部と、
前記番組表から、前記取得部によって取得された前記予約情報が示す映画に関連する番組を検索する検索部と、
前記検索部によって検索された前記番組の録画予約を行う録画部と、を備える
番組録画装置。
【請求項２】
さらに、
前記予約情報を複数のユーザ毎に管理する管理サーバとインターネットを介して通信する通信部を備え、
前記取得部は、前記通信部を介して前記管理サーバから前記番組録画装置のユーザの前記予約情報を取得する
請求項１に記載の番組録画装置。
【請求項３】
さらに、
インターネット上で前記映画館の予約システムと通信する通信部と、
ユーザからの入力を受け付ける入力受付部と、
前記入力受付部により受け付けられた入力に応じて、（ｉ）前記映画館で上映される映画の視聴予約を行うための情報を前記予約情報として生成し、（ｉｉ）当該予約情報を、前記通信部を介して前記予約システムへ送信する予約部と、を備え、
前記取得部は、前記予約部により生成された前記予約情報を取得する
請求項１に記載の番組録画装置。
【請求項４】
前記取得部は、さらに、映画に関する広告番組を示す広告情報を取得し、
前記録画部は、前記取得部により取得された前記広告情報に示される広告番組のうち、前記取得部により取得された前記予約情報に関連する広告番組の録画予約を行う
請求項１から３のいずれか１項に記載の番組録画装置。
【請求項５】
前記取得部は、さらに、前記広告番組の録画予約を許可するか否かを示す許可情報を取得し、
前記録画部は、
前記取得部により取得された前記許可情報が前記広告番組の録画予約を許可することを示している場合、前記広告番組の録画予約を行い、
前記許可情報が前記広告番組の録画予約を許可しないことを示している場合、前記広告番組の録画予約を行わない
請求項４に記載の番組録画装置。
【請求項６】
情報端末と、予約システムと、管理サーバと、番組録画装置とがインターネットを介して接続されることにより構成される番組録画システムであって、
前記情報端末は、
前記予約システムと通信する端末通信部と、
ユーザからの入力を受け付ける端末入力受付部と、
前記端末入力受付部により受け付けられた入力に応じて、（ｉ）前記映画館で上映される映画の視聴予約を行うための予約情報を生成し、（ｉｉ）当該予約情報を、前記端末通信部を介して前記予約システムおよび前記管理サーバへ送信する予約部と、を有し、
前記予約システムは、前記予約部により送信された前記予約情報により示される映画の予約を受け付け、
前記管理サーバは、
前記情報端末の前記予約部により送信された前記予約情報を受信するサーバ通信部と、
前記サーバ通信部により受信された前記予約情報を複数のユーザ毎に記憶する記憶部と、を有し、
前記番組録画装置は、
ユーザを識別するためのユーザＩＤを記憶している記憶部と、
番組表と前記予約情報とを取得する取得部と、
前記番組表から、前記取得部によって取得された前記予約情報が示す映画に関連するコンテンツを検索する検索部と、
前記検索部によって検索された前記コンテンツの録画予約を行う録画部と、を有する
番組録画システム。
【請求項７】
請求項１から５のいずれか１項に記載の番組録画装置により行われる番組録画方法であって、
前記番組録画装置のユーザが映画館での映画の視聴を予約したことを示す予約情報を取得する第一取得ステップと、
番組表を取得する第二取得ステップと、
前記第二取得ステップにおいて取得された前記番組表から、前記第一取得ステップにおいて取得された前記予約情報が示す映画に関連する番組を検索する検索ステップと、
前記検索ステップにおいて検索された前記番組の録画予約を行う録画ステップと、を含む
番組録画方法。
【発明の詳細な説明】
【技術分野】
【０００１】
本発明は、ユーザの嗜好に応じた番組を自動的に録画予約する番組録画装置、番組録画システムおよび番組録画方法に関する。
【背景技術】
【０００２】
従来、ユーザが録画予約の設定を行わなくても、ユーザの嗜好に合致した番組の録画予約を自動的に行う番組予約システムがある。例えば、特許文献１では、ユーザの嗜好として、当該ユーザと嗜好が類似するグループに属する他のユーザにより録画予約が行われた番組であって、当該ユーザにより録画予約が行われていない番組の録画予約を自動的に行うことで、ユーザの嗜好に合致する番組の録画予約を忘れることを防いでいる。
【先行技術文献】
【特許文献】
【０００３】
【特許文献１】特開２００４−３２０６０８号公報
【発明の概要】
【発明が解決しようとする課題】
【０００４】
しかしながら、特許文献１の技術では、ユーザの嗜好に合致する番組の録画予約が行われるとは限らない。
【０００５】
そこで、本発明は、このような状況に鑑みてなされたものであり、ユーザの嗜好に合致する番組の録画予約を自動的に行うことができる番組録画装置を提供することを目的とする。
【課題を解決するための手段】
【０００６】
上記目的を達成するために、本発明の一態様に係る番組録画装置は、録画予約機能を有する番組録画装置であって、番組表と、前記番組録画装置のユーザが映画館での映画の視聴を予約したことを示す予約情報と、を取得する取得部と、前記番組表から、前記取得部によって取得された前記予約情報が示す映画に関連する番組を検索する検索部と、前記検索部によって検索された前記番組の録画予約を行う録画部と、を備える。
【０００７】
これによれば、映画館で上映される映画の視聴を予約したことを示す予約情報が示す映画に関連する番組の録画予約を行う。
【０００８】
映画館で映画を視聴するには、ユーザには、映画館に足を運ぶ手間と、映画を視聴するコストとが要求される。このため、ユーザが映画館で視聴しようとした映画は、ユーザが上記の手間およびコストをかけてでも視聴したいと考えた映画であると言える。つまり、ユーザが好きな映画であるとも言える。つまり、番組録画装置は、ユーザが過去に映画館で視聴しようとした映画に関する番組の録画予約を行うことができるため、ユーザの嗜好に適切に合致する番組の録画を自動的に行うことができる。
【０００９】
また、さらに、前記予約情報を複数のユーザ毎に管理する管理サーバとインターネットを介して通信する通信部を備え、前記取得部は、前記通信部を介して前記管理サーバから前記番組録画装置のユーザの前記予約情報を取得してもよい。
【００１０】
これによれば、ユーザの予約情報を管理する管理サーバから予約情報を取得する。このため、例えば、映画の予約を受け付ける映画館の予約システムが映画館を運営している会社によって異なる場合、ユーザが異なる情報端末から映画の視聴を予約した場合などであっても、当該ユーザにより行われた予約に関する予約情報を一元的に取得することができる。
【００１１】
また、さらに、インターネット上で前記映画館の予約システムと通信する通信部と、ユーザからの入力を受け付ける入力受付部と、前記入力受付部により受け付けられた入力に応じて、（ｉ）前記映画館で上映される映画の視聴予約を行うための情報を前記予約情報として生成し、（ｉｉ）当該予約情報を、前記通信部を介して前記予約システムへ送信する予約部と、を備え、前記取得部は、前記予約部により生成された前記予約情報を取得してもよい。
【００１２】
これによれば、番組録画装置の予約部により行われた予約に関する予約情報を取得するため、確実にユーザの予約情報を取得することができる。また、インターネットを介してユーザの予約情報を取得しなくてもよい。
【００１３】
また、前記取得部は、さらに、映画に関する広告番組を示す広告情報を取得し、前記録画部は、前記取得部により取得された前記広告情報に示される広告番組のうち、前記取得部により取得された前記予約情報に関連する広告番組の録画予約を行ってもよい。
【００１４】
これによれば、映画に関する広告番組のうち、予約情報に関連する広告番組の録画予約を行うため、例えば、過去に予約した映画のメイキング番組や、当該映画の映画監督、出演者に関するドキュメント番組などの広告番組を、ユーザが検索することなく自動録画することができる。
【００１５】
また、前記取得部は、さらに、前記広告番組の録画予約を許可するか否かを示す許可情報を取得し、前記録画部は、前記取得部により取得された前記許可情報が前記広告番組の録画予約を許可することを示している場合、前記広告番組の録画予約を行い、前記許可情報が前記広告番組の録画予約を許可しないことを示している場合、前記広告番組の録画予約を行わなくてもよい。
【００１６】
これによれば、ユーザにより予め許可されている場合のみに、広告番組の録画予約を行うため、ユーザの嗜好情報により適した番組の録画予約を行うことができる。
【００１７】
なお、本発明は、このような特徴的な処理部を備える番組録画装置として実現することができるだけでなく、番組録画装置に含まれる特徴的な処理部が実行する処理をステップとする番組録画方法として実現することができる。また、番組録画装置に含まれる特徴的な処理部としてコンピュータを機能させるためのプログラムまたは番組録画方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００１８】
本発明によると、ユーザの嗜好に合致する番組の録画予約を自動的に行うことができる。
【図面の簡単な説明】
【００１９】
【図１】図１は、実施の形態１に係る番組録画システムの概略構成図である。
【図２】図２は、実施の形態１に係る番組録画システムの機能ブロック図である。
【図３】図３は、実施の形態１に係る番組録画システムの各記憶部により記憶されている情報の一例を示す図である。
【図４】図４は、公開予定映画作品情報の詳細の一例を示す図である。
【図５】図５は、実施の形態１に係る番組録画システムの情報端末で行われる予約送信処理を説明するためのフローチャートである。
【図６】図６は、実施の形態１に係る番組録画システムの番組録画装置で行われる録画予約処理を説明するためのフローチャートである。
【図７】図７は、実施の形態１に係る番組録画システムの管理サーバで行われる予約管理処理を説明するためのフローチャートである。
【図８】図８は、実施の形態２に係る番組録画システムの概略構成図である。
【図９】図９は、実施の形態２に係る番組録画システムの機能ブロック図である。
【図１０】図１０は、実施の形態２に係る番組録画装置の記憶部に記憶されている情報の一例を示す図である。
【図１１】図１１は、実施の形態２に係る番組録画システムの番組録画装置で行われる録画予約処理を説明するためのフローチャートである。
【図１２】図１２は、実施の形態３に係る番組録画システムの概略構成図である。
【図１３】図１３は、実施の形態３に係る番組録画システムの機能ブロック図である。
【図１４】図１４は、実施の形態３に係る番組録画システムの各記憶部により記憶されている情報の一例を示す図である。
【図１５】図１５は、広告情報の詳細の一例を示す図である。
【図１６】図１６は、実施の形態３に係る番組録画システムの番組録画装置で行われる録画予約処理を説明するためのフローチャートである。
【図１７】図１７は、実施の形態３に係る番組録画システムの管理サーバで行われる広告管理処理を説明するためのフローチャートである。
【発明を実施するための形態】
【００２０】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２１】
（実施の形態１）
図１は、実施の形態１に係る番組録画システムの概略構成図である。図２は、実施の形態１に係る番組録画システムの機能ブロック図である。
【００２２】
番組録画システム１は、番組録画装置１００と、情報端末２００と、管理サーバ３００と、第一予約システム４０１および第二予約システム４０２とを備える。番組録画装置１００と、情報端末２００と、管理サーバ３００と、第一予約システム４０１および第二予約システム４０２とは、インターネット５００を介して互いに通信可能に接続されている。
【００２３】
番組録画装置１００は、具体的には、レコーダ機能を有するテレビ、ビデオレコーダなど、放送波を受信することにより放送番組を取得でき、かつ、取得した放送番組を録画することが可能な家電機器で実現される。また、番組録画装置１００は、放送波を受信可能なチューナを有するＰＣ（Ｐｅｒｓｏｎａｌ  Ｃｏｍｐｕｔｅｒ）などの情報端末で実現されてもよい。
【００２４】
情報端末２００は、タブレット端末、スマートフォンなどで実現される。情報端末２００は、ユーザからの入力に応じて予約情報を生成し、第一予約システム４０１または第二予約システム４０２にインターネット５００を介して通信することにより当該予約情報を送信する。また、情報端末２００は、管理サーバ３００に当該予約情報を送信する。情報端末２００は、第一予約システム４０１または第二予約システム４０２が当該予約情報を受け付けたことが確定した後で、管理サーバ３００に予約情報を送信することが好ましい。なお、情報端末２００により送信される予約情報は、情報端末２００のユーザであることを一意に示すユーザＩＤが関連づけられている。
【００２５】
管理サーバ３００は、情報端末２００により送信された予約情報を受信し、複数のユーザ毎に予約情報を管理する。
【００２６】
第一予約システム４０１および第二予約システム４０２は、映画館で上映される映画の予約を受け付けるシステムであって、例えば、映画館を経営している会社ごとに設けられる予約システムである。つまり、例えば第一予約システム４０１はＡ社が経営している映画館で上映される映画の視聴予約を受け付け、第二予約システム４０２はＢ社が経営している映画館で上映される映画の視聴予約を受け付ける。
【００２７】
以下、番組録画装置１００、情報端末２００、および管理サーバ３００それぞれの機能構成について図２および図３を用いて説明する。図３は、実施の形態１に係る番組録画システムの各記憶部により記憶されている情報の一例を示す図である。
【００２８】
番組録画装置１００は、通信部１０１と、取得部１０２と、記憶部１０３と、検索部１０４と、録画部１０５とを備える。番組録画装置１００は、録画予約機能を有する。
【００２９】
通信部１０１は、管理サーバ３００とインターネット５００を介して通信する。通信部１０１は、例えば、管理サーバ３００から予約情報を受信する。
【００３０】
取得部１０２は、番組表と、映画館での映画の視聴を番組録画装置のユーザが予約したことを示す予約情報とを取得する。具体的には、取得部１０２は、通信部１０１を介して管理サーバ３００から当該ユーザの予約情報を取得する。また、取得部１０２は、通信部１０１を介してインターネット５００上のサーバから番組表を示す番組情報を取得してもよいし、放送波から番組情報を取得してもよい。
【００３１】
記憶部１０３は、図３の（ｂ）に示すように、取得部１０２により取得された、予約情報１１１、過去映画作品情報１１２、および番組情報１１３と、録画部１０５により録画された録画コンテンツ１１４を記憶する。
【００３２】
予約情報１１１は、取得部１０２により取得された情報であり、管理サーバ３００から受け取った予約情報３１３（後述参照）である。予約情報１１１は、具体的には、ユーザＩＤ、作品タイトル、上映映画館、上映スケジュールなどを含む。
【００３３】
過去映画作品情報１１２は、現在は映画館で上映されていない過去の映画に関する情報である。過去映画作品情報１１２は、具体的には、作品タイトル、監督、出演者などの情報を含む。なお、過去映画作品情報１１２は、後述するサーバ記憶部３０２に記憶されている過去映画作品情報３１２と同一である。つまり、過去映画作品情報１１２は、記憶部１０３に記憶されていなくてもよく、管理サーバ３００のサーバ記憶部３０２から取得するようにしてもよい。
【００３４】
番組情報１１３は、番組表を示す情報であり、取得部１０２により取得された情報である。録画コンテンツ１１４は、録画部１０５により番組が録画されたことにより得られた情報である。
【００３５】
検索部１０４は、番組表から、取得部１０２によって取得された予約情報が示す映画に関連する番組を検索する。検索部１０４は、具体的には、予約情報が示す映画のタイトルと所定の割合以上合致するタイトルの番組を、番組表から検索する。また、検索部１０４は、映画のタイトルに限らずに、映画の出演者で検索してもよいし、映画の監督で検索してもよいし、これら組み合わせで検索してもよい。なお、「映画に関連する番組」とは、具体的には、現在上映されている映画のシリーズに含まれる過去の映画や、現在上映されている映画の基になったＴＶドラマなどが想定される。
【００３６】
情報端末２００は、端末通信部２０１と、端末入力受付部２０２と、端末予約部２０３と、端末記憶部２０４とを備える。
【００３７】
端末通信部２０１は、第一予約システム４０１または第二予約システム４０２とインターネット５００を介して通信する。具体的には、端末通信部２０１は、第一予約システム４０１または第二予約システム４０２に、予約情報を送信し、第一予約システム４０１または第二予約システム４０２により送信される当該予約情報が受け付けられたことを示す完了通知を受信する。また、端末通信部２０１は、管理サーバ３００とインターネットを介して通信する。具体的には、端末通信部２０１は、第一予約システム４０１または第二予約システム４０２から完了通知を受信したときに、管理サーバ３００に予約情報を送信する。これにより、情報端末２００は、第一予約システム４０１または第二予約システム４０２により予約情報が受け付けられたことを確認してから、管理サーバ３００に当該予約情報を送信することになるため、管理サーバ３００は予約が未確定の予約情報を管理することを防ぐことができる。
【００３８】
端末入力受付部２０２は、タッチパネル、入力キーなどの入力装置に対してユーザによりなされた入力を受け付ける。
【００３９】
端末予約部２０３は、端末入力受付部２０２により受け付けられた入力に応じて、（ｉ）映画館で上映される映画の視聴予約を行うための予約情報を生成し、（ｉｉ）当該予約情報を、端末通信部２０１を介して第一予約システム４０１または第二予約システム４０２へ送信する。つまり、端末予約部２０３は、ユーザからの入力に応じて、予約情報を生成し、映画の視聴予約を行う映画館に対応する予約システムへ当該予約情報を送信する。なお、端末予約部２０３が生成する予約情報は、後述するように、予約システムのユーザＩＤ、視聴する映画の作品タイトル、視聴する映画が上映される映画館（上映映画館）、上映スケジュールなどを含む。なお、予約情報に含まれるユーザＩＤは、情報端末２００の端末ＩＤを用いてもよい。
【００４０】
端末記憶部２０４は、図３の（ｃ）に示すように、予約システム利用サービス２１１を記憶している。予約システム利用サービス２１１は、例えば、番組録画装置１００のユーザが利用している予約システムが第一予約システム４０１である場合には、第一予約システム４０１を利用するためのアプリケーションプログラムである。つまり、予約システム利用サービス１１５は、複数の予約システム４０１、４０２のそれぞれに対応して設けられる、映画の視聴予約を行うためのアプリケーションプログラムである。
【００４１】
管理サーバ３００は、サーバ通信部３０１と、サーバ記憶部３０２とを備える。
【００４２】
サーバ通信部３０１は、番組録画装置１００および情報端末２００とインターネット５００を介して通信する。具体的には、サーバ通信部３０１は、情報端末２００の端末予約部２０３により送信された予約情報を受信する。また、サーバ通信部３０１は、サーバ記憶部３０２に記憶されている予約情報３１３を番組録画装置１００に送信する。具体的には、サーバ通信部３０１は、番組録画装置１００により送信された予約情報の取得要求を受信した場合、当該取得要求に対応する予約情報を番組録画装置１００に送信する。なお、取得要求には、番組録画装置１００のユーザを示すユーザＩＤが含まれる。
【００４３】
サーバ記憶部３０２は、図３の（ａ）に示すように、公開予定映画作品情報３１１と、過去映画作品情報３１２と、予約情報３１３とを記憶している。
【００４４】
公開予定映画作品情報３１１は、これから公開される予定（または現在公開中）の映画に関する情報である。公開予定映画作品情報３１１は、図４に示すように、具体的には、作品タイトル、上映スケジュール、上映映画館、作品内容、出演者、監督などの情報を含む。なお、図４は、公開予定映画作品情報の詳細の一例を示す図である。
【００４５】
過去映画作品情報３１２は、現在は映画館で上映されていない過去の映画に関する情報である。過去映画作品情報３１２は、具体的には、作品タイトル、監督、出演者などの情報を含む。
【００４６】
予約情報３１３は、情報端末２００から受信した予約情報であり、ユーザにより行われた映画館での映画の視聴予約に関する情報である。つまり、予約情報３１３は、情報端末２００の端末予約部２０３において生成された情報である。予約情報３１３は、具体的には、ユーザＩＤ、作品タイトル、上映映画館、上映スケジュールなどを含む。
【００４７】
次に、番組録画システム１の動作について説明する。
【００４８】
図５は、実施の形態１に係る番組録画システムの情報端末で行われる予約送信処理を説明するためのフローチャートである。
【００４９】
情報端末２００では、端末予約部２０３が端末入力受付部２０２により映画視聴予約を示す入力が受け付けられたか否かを判定する（Ｓ１１）。
【００５０】
次に、端末予約部２０３は、映画視聴予約を示す入力が受け付けられたと判定した場合（Ｓ１１：Ｙｅｓ）、受け付けられた入力に応じて予約情報を生成する（Ｓ１２）。一方で、端末予約部２０３は、映画視聴予約を示す入力が受け付けられていないと判定した場合（Ｓ１１：Ｎｏ）、ステップＳ１１の処理を繰り返す。つまり、端末予約部２０３は、映画視聴予約を示す入力が受け付けられるまで、予約情報の生成を待機する。
【００５１】
次に、端末予約部２０３は、生成した予約情報を第一予約システム４０１および第二予約システム４０２のうちの予約情報に対応する予約システムに、端末通信部２０１を介して送信する（Ｓ１３）。つまり、端末予約部２０３は、生成した予約情報を、生成した予約情報に含まれる映画館に対応する予約システムに送信する。
【００５２】
次に、端末通信部２０１は、ステップＳ１３で予約情報を送信した先の予約システムが予約情報を受け付けたことを示す完了通知を、当該予約システムから受信したか否かを判定する（Ｓ１４）。
【００５３】
端末通信部２０１は、完了通知を受信したと判定した場合（Ｓ１４：Ｙｅｓ）、管理サーバ３００に予約情報を送信し（Ｓ１５）、予約送信処理を終了する。一方で、端末通信部２０１は、完了通知を受信していないと判定した場合（Ｓ１４：Ｎｏ）、ステップＳ１４の処理を繰り返す。つまり、端末通信部２０１は、完了通知を受信するまで予約情報を管理サーバ３００に送信することを待機する。
【００５４】
図６は、実施の形態１に係る番組録画システムの番組録画装置で行われる録画予約処理を説明するためのフローチャートである。
【００５５】
番組録画装置１００では、取得部１０２が所定期間経過したか否かを判定する（Ｓ２１）。
【００５６】
次に、取得部１０２は、所定期間経過したと判定した場合（Ｓ２１：Ｙｅｓ）、管理サーバ３００のサーバ記憶部３０２に記憶されている予約情報３１３を取得する（Ｓ２２）。具体的には、取得部１０２は、予約情報３１３を管理サーバ３００から取得するのに、管理サーバ３００に予約情報３１３の取得要求を送信し、管理サーバ３００が当該取得要求に応じて送信する予約情報を受信することにより、予約情報３１３を取得する。取得した予約情報３１３は、記憶部１０３に予約情報１１１として記憶される。
【００５７】
なお、取得部１０２により取得される予約情報は、前回取得した予約情報からの差分のみを取得してもよいし、全ての予約情報を取得して上書き保存するようにしてもよい。ただし、後者の場合は通信データ量が非常に大きくなるため、前者の方が好ましい。
【００５８】
一方で、取得部１０２は、所定期間経過していないと判定した場合（Ｓ２１：Ｎｏ）、ステップＳ２１を繰り返す。つまり、取得部１０２は、所定期間経過するまで管理サーバ３００から予約情報を取得することを待機する。なお、ここで、取得部１０２が所定期間経過したと判定するための基準となるタイミングは、例えば、前回予約情報を取得したタイミングである。つまり、取得部１０２は、前回予約情報を取得したタイミングから所定期間経過していれば、新たに管理サーバ３００のサーバ記憶部３０２に記憶されている予約情報３１３を取得する。これにより、番組録画装置１００は、定期的に、サーバ記憶部３０２に記憶されている最新の予約情報３１３を取得できる。
【００５９】
次に、取得部１０２は、番組情報を取得する（Ｓ２３）。なお、取得部１０２により取得された番組情報は、番組情報１１３として記憶部１０３により記憶される。
【００６０】
検索部１０４は、番組情報１１３により示される番組表から、予約情報１１１が示す映画に関連する番組を検索する（Ｓ２４）。
【００６１】
そして、検索部１０４は、番組表に予約情報１１１が示す映画に関連する番組があるか否かを判定する（Ｓ２５）。
【００６２】
検索の結果、検索部１０４が番組表に予約情報１１１が示す映画に関連する番組があると判定した場合（Ｓ２５：Ｙｅｓ）、録画部１０５は、当該関連する番組の録画予約を行い（Ｓ２６）、録画予約処理を終了する。一方で、検索の結果、検索部１０４が番組表に予約情報１１１が示す映画に関連する番組がないと判定した場合（Ｓ２５：Ｎｏ）、録画部１０５による録画予約が行われることなく録画予約処理を終了する。もちろん、録画予約が行われた番組は、放送されるタイミングで録画部１０５により録画されることになる。
【００６３】
図７は、実施の形態１に係る番組録画システムの管理サーバで行われる予約管理処理を説明するためのフローチャートである。
【００６４】
管理サーバ３００では、サーバ通信部３０１が情報端末２００からの予約情報を受信したか否かを判定する（Ｓ３１）。
【００６５】
次に、サーバ通信部３０１が予約情報を受信したと判定した場合（Ｓ３１：Ｙｅｓ）、サーバ記憶部３０２は、サーバ通信部３０１により受信された予約情報を記憶する（Ｓ３２）。一方で、サーバ通信部３０１が予約情報を受信していないと判定した場合（Ｓ３１：Ｎｏ）、ステップＳ３１の処理を繰り返す。つまり、サーバ記憶部３０２は、サーバ通信部３０１により予約情報が受信されるまで、予約情報を記憶することを待機する。
【００６６】
そして、サーバ通信部３０１は、番組録画装置１００により送信された予約情報の取得要求を受信したか否かを判定する（Ｓ３３）。
【００６７】
サーバ通信部３０１は、予約情報の取得要求を受信したと判定した場合（Ｓ３３：Ｙｅｓ）、当該取得要求を送信した番組録画装置１００に対応するユーザＩＤで管理されている予約情報を当該番組録画装置１００に送信し（Ｓ３４）、予約管理処理を終了する。一方で、サーバ通信部３０１は、予約情報の取得要求を受信していないと判定した場合（Ｓ３３：Ｎｏ）、ステップＳ３３を繰り返す。つまり、サーバ通信部３０１は、予約情報の取得要求を受信するまで、予約情報を番組録画装置１００に送信することを待機する。
【００６８】
本実施の形態１に係る番組録画装置１００によれば、映画館で上映される映画の視聴を予約したことを示す予約情報が示す映画に関連する番組の録画予約を行う。
【００６９】
映画館で映画を視聴するには、ユーザには、映画館に足を運ぶ手間と、映画を視聴するためのコストとが要求される。このため、ユーザが映画館で視聴しようとした映画は、ユーザが上記の手間およびコストをかけてでも視聴したいと考えた映画であると言える。つまり、ユーザが好きな映画であるとも言える。つまり、番組録画装置１００は、ユーザが過去に映画館で視聴しようとした映画に関連する番組の録画予約を行うことができるため、ユーザの嗜好に適切に合致する番組の録画を自動的に行うことができる。
【００７０】
また、本実施の形態１に係る番組録画装置１００によれば、ユーザの予約情報を管理する管理サーバ３００から予約情報を取得する。このため、例えば、映画の予約を受け付ける映画館の予約システムが映画館を運営している会社によって異なる場合、ユーザが異なる情報端末から映画の視聴を予約した場合などであっても、当該ユーザにより行われた予約に関する予約情報を一元的に取得することができる。
【００７１】
（実施の形態２）
図８は、実施の形態２に係る番組録画システムの概略構成図である。図９は、実施の形態２に係る番組録画システムの機能ブロック図である。
【００７２】
実施の形態２に係る番組録画システム１ａは、実施の形態１に係る番組録画システム１とは、情報端末２００および管理サーバ３００が構成要素に含まれないことが異なる。また、実施の形態２に係る番組録画装置１００ａは、実施の形態１に係る番組録画装置１００の構成に加えて、さらに、入力受付部１０６と、予約部１０７とを備える。また、実施の形態２に係る番組録画装置１００ａは、通信部１０１ａが第一予約システム４０１または第二予約システム４０２と通信することが実施の形態１に係る番組録画装置１００と異なる。また、実施の形態２に係る番組録画装置１００ａは、取得部１０２ａが、さらに、予約部１０７の処理の結果を用いた処理を行うことが実施の形態１に係る番組録画装置１００の構成と異なる。また、実施の形態２に係る番組録画装置１００ａは、記憶部１０３ａが、記憶している情報が実施の形態１に係る番組録画装置１００の構成と異なる。番組録画装置１００ａにおける、通信部１０１ａ、取得部１０２ａ、記憶部１０３ａ、入力受付部１０６および予約部１０７以外の構成は、実施の形態１に係る番組録画装置１００と同様であるため説明を省略する。つまり、実施の形態１に係る番組録画システム１ａでは、情報端末２００により予約情報が生成されていたが、実施の形態２に係る番組録画システム１ａでは、番組録画装置１００ａが予約情報を生成する。
【００７３】
入力受付部１０６は、リモコンなどの入力装置に対してユーザによりなされた入力を受け付ける。
【００７４】
予約部１０７は、入力受付部１０６により受け付けられた入力に応じて、（ｉ）映画館で上映される映画の視聴予約を行うための上方を予約情報として生成し、（ｉｉ）当該予約情報を、通信部１０１を介して第一予約システム４０１または第二予約システム４０２へ送信する。つまり、予約部１０７は、ユーザからの入力に応じて、予約情報を生成し、映画の視聴予約を行う映画館に対応する予約システムへ当該予約情報を送信する。なお、予約部１０７が生成する予約情報は、後述するように、予約システムのユーザＩＤ、視聴する映画の作品タイトル、視聴する映画が上映される映画館（上映映画館）、上映スケジュールなどを含む。なお、予約情報に含まれるユーザＩＤは、番組録画装置１００ａの端末ＩＤを用いてもよい。
【００７５】
また、取得部１０２ａは、予約部１０７により生成された予約情報を取得する。
【００７６】
また、記憶部１０３ａは、図１０に示すように、予約情報１１１、過去映画作品情報１１２、番組情報１１３、および録画コンテンツ１１４の他に、さらに、予約システム利用サービス１１５を記憶している。図１０は、実施の形態２に係る番組録画装置の記憶部に記憶されている情報の一例を示す図である。予約システム利用サービス１１５は、例えば、番組録画装置１００のユーザが利用している予約システムが第一予約システム４０１である場合には、第一予約システム４０１を利用するためのアプリケーションプログラムである。つまり、予約システム利用サービス１１５は、複数の予約システム４０１、４０２のそれぞれに対応して設けられる、映画の視聴予約を行うためのアプリケーションプログラムである。
【００７７】
図１１は、実施の形態２に係る番組録画システムの番組録画装置で行われる録画予約処理を説明するためのフローチャートである。
【００７８】
番組録画装置１００ａでは、予約部１０７が入力受付部１０６により映画視聴予約を示す入力が受け付けられたか否かを判定する（Ｓ４１）。
【００７９】
次に、予約部１０７は、映画視聴予約を示す入力が受け付けられたと判定した場合（Ｓ４１：Ｙｅｓ）、受け付けられた入力に応じて予約情報を生成する（Ｓ４２）。一方で、予約部１０７は、映画視聴予約を示す入力が受け付けられていないと判定した場合（Ｓ４１：Ｎｏ）、ステップＳ４１の処理を繰り返す。つまり、予約部１０７は、映画視聴予約を示す入力が受け付けられるまで、予約情報の生成を待機する。
【００８０】
次に、予約部１０７は、生成した予約情報を第一予約システム４０１および第二予約システム４０２のうちの予約情報に対応する予約システムに、通信部１０１ａを介して送信する（Ｓ４３）。つまり、予約部１０７は、生成した予約情報を、生成した予約情報に含まれる映画館に対応する予約システムに送信する。
【００８１】
次に、通信部１０１ａは、ステップＳ４３で予約情報を送信した先の予約システムが予約情報を受け付けたことを示す完了通知を、当該予約システムから受信したか否かを判定する（Ｓ４４）。
【００８２】
通信部１０１ａが完了通知を受信したと判定した場合（Ｓ４４：Ｙｅｓ）、取得部１０２ａは、予約部１０７により生成された予約情報を取得する（Ｓ４５）。一方で、通信部１０１ａが完了通知を受信していないと判定した場合（Ｓ４４：Ｎｏ）、ステップＳ４４の処理を繰り返す。つまり、取得部１０２ａは、完了通知を受信するまで予約情報を取得することを待機する。
【００８３】
次に、取得部１０２ａは、番組情報を取得する（Ｓ４６）。なお、取得部１０２ａにより取得された番組情報は、番組情報１１３として記憶部１０３により記憶される。
【００８４】
検索部１０４は、番組情報１１３により示される番組表から、予約情報１１１が示す映画に関連する番組を検索する（Ｓ４７）。
【００８５】
そして、検索部１０４は、番組表に予約情報１１１が示す映画に関連する番組があるか否かを判定する（Ｓ４８）。
【００８６】
検索の結果、検索部１０４が番組表に予約情報１１１が示す映画に関連する番組があると判定した場合（Ｓ４８：Ｙｅｓ）、録画部１０５は、当該関連する番組の録画予約を行い（Ｓ４９）、録画予約処理を終了する。一方で、検索の結果、検索部１０４が番組表に予約情報１１１が示す映画に関連する番組がないと判定した場合（Ｓ４８：Ｎｏ）、録画部１０５による録画予約が行われることなく録画予約処理を終了する。もちろん、録画予約が行われた番組は、放送されるタイミングで録画部１０５により録画されることになる。
【００８７】
本実施の形態２に係る番組録画装置１００ａによれば、番組録画装置１００ａの予約部１０７により行われた予約に関する予約情報を取得するため、確実にユーザの予約情報を取得できる。また、実施の形態１に係る番組録画装置１００と比較してインターネット５００を歌詞いてユーザの予約情報を取得しなくてもよい。
【００８８】
（実施の形態３）
図１２は、実施の形態３に係る番組録画システムの概略構成図である。図１３は、実施の形態３に係る番組録画システムの機能ブロック図である。
【００８９】
実施の形態３に係る番組録画システム１ｂは、実施の形態１に係る番組録画システム１の構成に加えて、さらに、第二情報端末６００を備える。また、実施の形態３に係る番組録画システム１ｂは、実施の形態１に係る番組録画システム１の情報端末２００と同様の構成の第一情報端末２００を備える。また、実施の形態３に係る番組録画装置１００ｂは、取得部１０２ｂおよび録画部１０５ｂにより行われる処理が、広告録画処理をさらに含むことが実施の形態１に係る番組録画装置１００と異なる。また、実施の形態３に係る管理サーバ３００ｂは、サーバ記憶部３０２ｂが記憶している情報が、実施の形態１に係る管理サーバ３００とことなる。
【００９０】
取得部１０２ｂは、映画に関する広告番組を示す広告情報を取得する。
【００９１】
録画部１０５ｂは、取得部１０２ｂにより取得された広告情報に示される広告番組のうち、取得部１０２ｂにより取得された予約情報に関連する広告番組の録画予約を行う。
【００９２】
第二情報端末６００は、映画スポンサーなどが広告情報を登録するための情報端末である。つまり、第二情報端末６００により、管理サーバ３００に対して広告情報がアップロードされる。アップロードされた広告情報は、管理サーバ３００のサーバ記憶部３０２ｂにより記憶される。
【００９３】
図１４は、実施の形態３に係る番組録画システムの各記憶部により記憶されている情報の一例を示す図である。
【００９４】
サーバ記憶部３０２ｂは、図１４に示すように、公開予定映画作品情報３１１と、過去映画作品情報３１２と、予約情報３１３と、広告情報３１４とを記憶している。公開予定映画作品情報３１１、過去映画作品情報３１２、および予約情報３１３は、実施の形態１と同様であるため説明を省略する。
【００９５】
広告情報３１４は、上述したように、映画スポンサーなどが上映予定映画作品に関連するメイキング番組などの広告を目的とした情報であり、第二情報端末６００からアップロードされる情報である。広告情報３１４は、具体的には、スポンサー、映画作品情報、広告情報などを含む。なお、映画作品情報は、作品タイトル、監督、出演者などを含む情報である。
【００９６】
広告情報は、当該映画に関連する情報であり、図１５に示すように、当該映画のメイキング番組などのコンテンツを放送する放送局、番組タイトル、放送時間、スポンサーおすすめ情報およびキャンペーン情報を含む。ここで、図１５は、広告情報の詳細の一例を示す図である。なお、スポンサーおすすめ情報は、映画に関連したグッズ（映画の登場人物が使用している物など）、映画の原作（小説またはコミックなど）、過去にＴＶ放送された当該映画に関連するドラマシリーズのＤＶＤ、ＢＤなどのパッケージの販売情報などの情報を含む。また、キャンペーン情報は、例えば、映画館で当該映画を視聴した場合に、当該映画に関連するプレゼントがもらえる等の情報を含む。
【００９７】
次に、番組録画システム１ｂの動作について説明する。
【００９８】
なお、番組録画システム１ｂでは、実施の形態１に係る番組録画システム１が行うことのできる処理を全て行うことができる。
【００９９】
図１６は、実施の形態３に係る番組録画システムの番組録画装置で行われる録画予約処理を説明するためのフローチャートである。
【０１００】
番組録画装置１００ｂでは、取得部１０２ｂが所定期間経過した否かを判定する（Ｓ５１）。
【０１０１】
次に、取得部１０２ｂは、所定期間経過したと判定した場合（Ｓ５１：Ｙｅｓ）、管理サーバ３００ｂのサーバ記憶部３０２ｂに記憶されている広告情報３１４を取得する（Ｓ５２）。具体的には、取得部１０２ｂは、広告情報３１４を管理サーバ３００ｂから取得するのに、管理サーバ３００ｂに広告情報３１４の取得要求を送信し、管理サーバ３００ｂが当該取得要求に応じて送信する広告情報を受信することにより、広告情報３１４を取得する。取得した広告情報３１４は、記憶部１０３に記憶される。
【０１０２】
一方で、取得部１０２ｂは、所定期間経過していないと判定した場合（Ｓ５１：Ｎｏ）、ステップＳ５１を繰り返す。つまり、取得部１０２ｂは、所定期間経過するまで管理サーバ３００ｂから広告情報を取得することを待機する。なお、ここで、取得部１０２ｂが所定期間経過したと判定するための基準となるタイミングは、例えば、前回広告情報を取得したタイミングである。つまり、取得部１０２ｂは、前回広告情報を取得したタイミングから所定期間経過していれば、新たに管理サーバ３００ｂのサーバ記憶部３０２ｂに記憶されている広告情報３１４を取得する。これにより、番組録画装置１００ｂは、定期的に、サーバ記憶部３０２ｂに記憶されている最新の広告情報３１４を取得できる。
【０１０３】
次に、取得部１０２ｂは、管理サーバ３００のサーバ記憶部３０２に記憶されている予約情報３１３を取得する（Ｓ５３）。そして、取得部１０２ｂは、番組情報を取得する（Ｓ５４）。なお、ここで行われるステップＳ５３およびＳ５４はそれぞれ、ステップＳ２２およびＳ２３と同様であるので詳細な説明は省略する。
【０１０４】
録画部１０５ｂは、取得部１０２ｂにより取得された広告情報に示される広告番組のうち、取得部１０２ｂにより取得された予約情報に関連する広告番組の録画予約を行い（Ｓ５５）、録画予約処理を終了する。
【０１０５】
図１７は、実施の形態３に係る番組録画システムの管理サーバで行われる広告管理処理を説明するためのフローチャートである。
【０１０６】
管理サーバ３００ｂでは、サーバ通信部３０１が第二情報端末６００からの広告情報を受信したか否かを判定する（Ｓ６１）。
【０１０７】
次に、サーバ通信部３０１が広告情報を受信したと判定した場合（Ｓ６１：Ｙｅｓ）、サーバ記憶部３０２ｂは、サーバ通信部３０１により受信された広告情報を記憶する（Ｓ６２）。
【０１０８】
一方で、サーバ通信部３０１が広告情報を受信していないと判定した場合（Ｓ６１：Ｎｏ）、ステップＳ６１の処理を繰り返す。つまり、サーバ記憶部３０２ｂは、サーバ通信部３０１により広告情報が受信されるまで、広告情報を記憶することを待機する。
【０１０９】
そして、サーバ通信部３０１は、番組録画装置１００ｂにより送信された広告情報の取得要求を受信したか否かを判定する（Ｓ６３）。
【０１１０】
サーバ通信部３０１は、広告情報の取得要求を受信したと判定した場合（Ｓ６３：Ｙｅｓ）、広告情報を当該番組録画装置１００ｂに送信し（Ｓ６４）、広告管理処理を終了する。一方で、サーバ通信部３０１は、広告情報の取得要求を受信していないと判定した場合（Ｓ６３：Ｎｏ）、ステップＳ６３を繰り返す。つまり、サーバ通信部３０１は、広告情報の取得要求を受信するまで、広告情報を番組録画装置１００に送信することを待機する。
【０１１１】
本実施の形態３に係る番組録画装置１００ｂによれば、映画に関する広告番組のうち、予約情報に関連する広告番組の録画予約を行うため、例えば、過去に予約した映画のメイキング番組や、当該映画の映画監督、出演者に関するドキュメント番組などを含む広告番組を、ユーザが検索することなく自動録画することができる。
【０１１２】
なお、上記実施の形態３に係る番組録画装置１００ｂでは、取得部１０２ｂは、さらに、広告番組の録画予約を許可するか否かを示す許可情報を取得してもよい。なお、この場合、録画部１０５ｂは、取得部１０２ｂにより取得された許可情報が広告番組の録画予約を許可することを示している場合、広告番組の録画予約を行い、許可情報が広告番組の録画予約を許可しないことを示している場合、広告番組の録画予約を行わなくてもよい。
【０１１３】
また、上記実施の形態３に係る番組録画装置１００ｂでは、図１５のフローチャートのステップＳ５３およびＳ５４が行われるタイミングは、上記で説明したタイミングに限らない。例えば、ステップＳ５３およびＳ５４は、独立した処理によって行われていてもよい。つまり、図１５では、ステップＳ５３およびＳ５４を除くステップのみが行われ、かつ、上記実施の形態１で説明した図５の録画予約処理が別途独立して行われているようにしてもよい。このような構成であっても、予約情報および番組情報を取得しているため、ステップＳ５５の処理に取得した予約情報および番組情報を利用できる。
【０１１４】
これにより、ユーザにより予め許可されている場合のみに、広告番組の録画予約を行うことになるため、ユーザの嗜好情報により適した番組の録画予約を行うことができる。
【０１１５】
また、上記実施の形態３に係る番組録画装置１００ｂでは、広告情報を取得して、広告番組を録画予約する形態であるが、これに限らずに、広告番組のコンテンツ自体を通信により番組録画装置１００ｂが取得する形態であってもよい。なお、この場合には、第二情報端末６００から管理サーバ３００ｂにアップロードされる広告情報に広告番組のコンテンツ自体の情報が含まれることになる。また、広告番組のコンテンツ自体を取得する場合、ユーザが所有している例えば第一情報端末２００が広告番組のコンテンツを取得してもよい。また、この場合、広告番組は、動画に限らずに、ＨＴＭＬデータや、メールデータなどであってもよい。つまり、この場合、広告番組は、番組表から検索されるのではなく、取得された広告情報のうちでユーザの嗜好に沿った広告情報が抽出される。そして、抽出された広告情報がＨＴＭＬデータやメールデータ自体であってもよいし、単なるＩＤデータであってもよい。広告情報が単なるＩＤデータである場合には、当該ＩＤデータに対応する広告番組が含まれる情報を、インターネットを介して別途取得する処理が行われることになる。
【０１１６】
なお、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されてもよい。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１１７】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１１８】
さらにまた、上記の各装置を構成する構成要素の一部または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムに従って動作することにより、ＩＣカードまたはモジュールは、その機能を達成する。このＩＣカードまたはこのモジュールは、耐タンパ性を有するとしてもよい。
【０１１９】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【０１２０】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしてもよい。また、これらの非一時的な記録媒体に記録されている上記デジタル信号であるとしてもよい。
【０１２１】
また、本発明は、上記コンピュータプログラムまたは上記デジタル信号を、電気通信回線、無線または有線通信回線、インターネットを代表とするネットワーク、データ放送等を経由して伝送するものとしてもよい。
【０１２２】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしてもよい。
【０１２３】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしてもよい。
【０１２４】
さらに、上記実施の形態及び上記変形例をそれぞれ組み合わせるとしてもよい。
【産業上の利用可能性】
【０１２５】
本発明は、ユーザの嗜好に合致する番組の録画予約を自動的に行うことができるテレビ、ビデオレコーダなどとして有用である。
【符号の説明】
【０１２６】
１、１ａ、１ｂ  番組録画システム
１００、１００ａ、１００ｂ  番組録画装置
１０１、１０１ａ  通信部
１０２、１０２ａ、１０２ｂ  取得部
１０３、１０３ａ  記憶部
１０４  検索部
１０５、１０５ｂ  録画部
１０６  入力受付部
１０７  予約部
１１１  予約情報
１１２  過去映画作品情報
１１３  番組情報
１１４  録画コンテンツ
１１５  予約システム利用サービス
２００  情報端末、第一情報端末
２０１  端末通信部
２０２  端末入力受付部
２０３  端末予約部
２０４  端末記憶部
２１１  予約システム利用サービス
３００、３００ｂ  管理サーバ
３０１  サーバ通信部
３０２、３０２ｂ  サーバ記憶部
３１１  公開予定映画作品情報
３１２  過去映画作品情報
３１３  予約情報
３１４  広告情報
４０１  第一予約システム
４０２  第二予約システム
５００  インターネット
６００  第二情報端末
【図１】
2015192368.tif 000003
【図２】
2015192368.tif 000004
【図３】
2015192368.tif 000005
【図４】
2015192368.tif 000006
【図５】
2015192368.tif 000007
【図６】
2015192368.tif 000008
【図７】
2015192368.tif 000009
【図８】
2015192368.tif 000010
【図９】
2015192368.tif 000011
【図１０】
2015192368.tif 000012
【図１１】
2015192368.tif 000013
【図１２】
2015192368.tif 000014
【図１３】
2015192368.tif 000015
【図１４】
2015192368.tif 000016
【図１５】
2015192368.tif 000017
【図１６】
2015192368.tif 000018
【図１７】
2015192368.tif 000019